(57)【要約】  関連度を利用して関連ノートを提供する方法および装置に関する技術が開示される。関連ノート提供方法は、ユーザ端末と連動する関連ノート提供サーバーで遂行される方法において、ユーザ端末から生成する少なくとも一つのノートを受信する段階と；少なくとも一つのノート間の関係を表すノート間の関連度を設定可能な基準によって更新する段階と；ノート間の関連度に基づいてユーザ端末に少なくとも一つのノートを提供する段階を含む。したがって、関連度に基づいて複数のノートをより効果的に確認し管理するように、知能的かつスマートなユーザインタフェースを提供することができる。
2018523221.tif 000002
【特許請求の範囲】
【請求項１】
ユーザ端末と連動する関連ノート提供サーバーで遂行される方法において、
前記ユーザ端末から生成する少なくとも一つのノートを受信する段階；
前記少なくとも一つのノート間の関係を表すノート間の関連度を設定可能な基準によって更新する段階；および
前記ノート間の関連度に基づいて前記ユーザ端末に前記少なくとも一つのノートを提供する段階を含む、関連ノート提供方法。
【請求項２】
前記ノート間の関連度を設定可能な基準によって更新する段階は、
時間の経過、関連照会回数、照会時間、ユーザ指定関連度点数、ユーザが関連ノートをクリックする順序および前記少なくとも一つのノートに含まれた情報間の類似性のうち少なくとも一つに基づいた学習を通じて遂行することを特徴とする、請求項１に記載の関連ノート提供方法。
【請求項３】
前記少なくとも一つのノートを提供する段階は、
前記少なくとも一つのノートのうち選択されたノートを基準として、前記ノート間の関連度が高い順に前記少なくとも一つのノートを前記ユーザ端末に表示することを特徴とする、請求項２に記載の関連ノート提供方法。
【請求項４】
ノートの共有を許容するユーザグループに前記少なくとも一つのノートを共有させる段階をさらに含む、請求項１に記載の関連ノート提供方法。
【請求項５】
前記ノートの共有を許容するユーザグループは、
前記ユーザ端末によって設定または同期化することを特徴とする、請求項４に記載の関連ノート提供方法。
【請求項６】
前記少なくとも一つのノートは、
インラインタグを含み、前記インラインタグに相応するビュー機能と連動することを特徴とする、請求項１に記載の関連ノート提供方法。
【請求項７】
関連ノート提供サーバーと連動するユーザ端末で遂行される方法において、
情報入力により少なくとも一つのノートを生成する段階；および
前記少なくとも一つのノート間の関係を表すノート間の関連度に基づいて前記少なくとも一つのノートを表示する段階を含むものの、
前記ノート間の関連度は、
前記関連ノート提供サーバーで設定可能な基準によって更新されることを特徴とする、関連ノート提供方法。
【請求項８】
前記ノート間の関連度は、
時間の経過、関連照会回数、照会時間、ユーザ指定関連度点数、ユーザが関連ノートをクリックする順序および前記少なくとも一つのノートに含まれた情報間の類似性のうち少なくとも一つに基づいた学習によって更新されることを特徴とする、請求項７に記載の関連ノート提供方法。
【請求項９】
前記少なくとも一つのノートを表示する段階は、
前記少なくとも一つのノートのうち選択されたノートを基準として、前記ノート間の関連度が高い順に表示することを特徴とする、請求項７に記載の関連ノート提供方法。
【請求項１０】
前記関連ノート提供サーバーを通じてノートの共有を許容するユーザグループに、前記少なくとも一つのノートを共有させる段階をさらに含む、請求項７に記載の関連ノート提供方法。
【請求項１１】
前記ノートの共有を許容するユーザグループは、
前記ユーザ端末によって設定または同期化することを特徴とする、請求項１０に記載の関連ノート提供方法。
【請求項１２】
前記少なくとも一つのノートは、
インラインタグを含み、前記インラインタグに相応するビュー機能と連動することを特徴とする、請求項７に記載の関連ノート提供方法。
【請求項１３】
関連ノート提供サーバーと連動するユーザ端末で遂行される方法において、
情報入力を通じてインラインタグを含むノートを生成する段階；
前記インラインタグに相応するビュー機能を抽出する段階；および
前記抽出されたビュー機能を前記生成したノートと連動させる段階を含む、関連ノート提供方法。
【請求項１４】
前記インラインタグは、
名前、電話番号、Ｅメール、日付、場所および時間のうち少なくとも一つを対象にタギングされることを特徴とする、請求項１３に記載の関連ノート提供方法。
【請求項１５】
前記抽出されたビュー機能は、
前記生成したノートの付加機能であることを特徴とする、請求項１３に記載の関連ノート提供方法。
【請求項１６】
前記抽出されたビュー機能は、
連絡先管理、Ｅメール伝送、カレンダー表示、地図表示、予定、スケジュール管理およびアラームのうち少なくとも一つの機能を遂行するアプリケーションまたはウェブによって支援されることを特徴とする、請求項１３に記載の関連ノート提供方法。
【請求項１７】
前記インラインタグによってタギングされた情報は、
前記アプリケーションまたはウェブに同期化することを特徴とする、請求項１６に記載の関連ノート提供方法。
【請求項１８】
前記生成したノートは、
他のノートとの関係を表すノート間の関連度で関連され、
前記ノート間の関連度は、
前記関連ノート提供サーバーで設定可能な基準によって更新されることを特徴とする、請求項１３に記載の関連ノート提供方法。
【請求項１９】
前記ノート間の関連度は、
時間の経過、関連照会回数、照会時間、ユーザ指定関連度点数、ユーザが関連ノートをクリックする順序および前記少なくとも一つのノートに含まれた情報間の類似性のうち少なくとも一つに基づいた学習を通じて更新されることを特徴とする、請求項１８に記載の関連ノート提供方法。
【請求項２０】
ユーザ端末と連動する関連ノート提供サーバーで遂行される方法において、
前記ユーザ端末から生成する少なくとも一つのノートを受信する段階；
前記少なくとも一つのノートに関連した情報を分析する段階；および
前記分析結果に基づいてユーザ端末にユーザに特化して加工されたサービスを提供する段階を含む、関連ノート提供方法。
【請求項２１】
前記ノートに関連した情報は、ノートの内容、ノート間の関係、使用履歴についての情報のうち少なくとも一つを含み、
前記加工されたサービスは、ノートの選択と配列または関連したアプリケーションの情報を含んで提供される、請求項２０に記載の関連ノート提供方法。
【発明の詳細な説明】
【技術分野】
【０００１】
本発明は、関連ノートの提供に関するものであって、さらに詳細には関連度を利用して関連ノートを提供する方法および装置に関するものである。
【背景技術】
【０００２】
スマートフォンのような個人用の携帯端末は、単純な通話機能を越えてメモ、ノート、ダイアリー、辞書、デジタルカメラ、ウェブブラウジングなどのような多様な機能を提供している。
【０００３】
その中でも最も基本的な機能であるメモまたはノート機能は、紙やペンがなくても必ず記憶すべき事項を携帯端末に保存できる機能を提供する。すなわち、ユーザは様々な状況で収集した情報を個別ノートに整理して保存する。
【０００４】
ただし、現在のメモまたはノート機能は、単にテキスト情報のみを羅列して保存するのに重点を置いているため、ユーザが多数のメモまたはノートを効果的に管理することができるユーザインタフェースに対する提供が足りない状態である。
【０００５】
例えば、ユーザは、日程、場所、予定などのように比較的簡略な情報を断片化して多数のメモまたはノートに容易に保存することができる。また、このように断片化された多数のメモまたはノートを同時または共に確認しなければならない状況が頻繁に発生している状況である。すなわち、ユーザに必要な情報は、このような個別ノートに整理された情報間の相互関係である。
【０００６】
しかし、現在のメモまたはノート機能は、このように断片化された多数のメモまたはノートをユーザの便宜によって確認および管理するためのユーザインタフェースが足りないのが実情である。
【発明の概要】
【発明が解決しようとする課題】
【０００７】
前記のような問題点を解決するための本発明の目的は、関連度に基づいて複数のノートがより効果的に確認および管理できるユーザインタフェースを提供する、関連ノート提供方法を提供することである。
【０００８】
前記のような問題点を解決するための本発明の他の目的は、関連度に基づいて複数のノートがより効果的に確認および管理できるユーザインタフェースを提供する、関連ノート提供装置を提供することである。
【０００９】
前記のような問題点を解決するための本発明のさらに他の目的は、インラインタグを利用して他のアプリケーションまたはウェブなどと連動できる、関連ノート提供方法および装置を提供することである。
【課題を解決するための手段】
【００１０】
前記目的を達成するための本発明の一側面による関連ノート提供方法は、ユーザ端末と連動する関連ノート提供サーバーで遂行される方法において、ユーザ端末から生成する少なくとも一つのノートを受信する段階と；少なくとも一つのノート間の関係を表すノート間の関連度を設定可能な基準によって更新する段階と；ノート間の関連度に基づいてユーザ端末に少なくとも一つのノートを提供する段階を含む。
【００１１】
ここで、前記ノート間の関連度を設定可能な基準によって更新する段階は、時間の経過、関連照会回数、照会時間、ユーザ指定関連度点数、ユーザが関連ノートをクリックする順序および少なくとも一つのノートに含まれた情報間の類似性のうち少なくとも一つに基づいた学習を通じて遂行することができる。
【００１２】
ここで、前記少なくとも一つのノートを提供する段階は、少なくとも一つのノートのうち選択されたノートを基準として、ノート間の関連度が高い順に少なくとも一つのノートをユーザ端末に表示することができる。
【００１３】
ここで、前記方法は、ノートの共有を許容するユーザグループに少なくとも一つのノートを共有させる段階をさらに含むことができる。
【００１４】
ここで、前記ノートの共有を許容するユーザグループは、ユーザ端末によって設定または同期化し得る。
【００１５】
ここで、前記少なくとも一つのノートは、インラインタグを含み、インラインタグに相応するビュー機能と連動することができる。
【００１６】
前記目的を達成するための本発明の他の側面による関連ノート提供方法は、関連ノート提供サーバーと連動するユーザ端末で遂行される方法において、情報入力により少なくとも一つのノートを生成する段階と；少なくとも一つのノート間の関係を表すノート間の関連度に基づいて少なくとも一つのノートを表示する段階を含むものの、前記ノート間の関連度は、関連ノート提供サーバーで設定可能な基準によって更新される。
【００１７】
前記目的を達成するための本発明のさらに他の側面による関連ノート提供方法は、関連ノート提供サーバーと連動するユーザ端末で遂行される方法において、情報入力を通じてインラインタグを含むノートを生成する段階と；インラインタグに相応するビュー機能を抽出する段階と；抽出されたビュー機能を生成したノートと連動させる段階を含む。
【００１８】
ここで、前記インラインタグは、名前、電話番号、Ｅメール、日付、場所および時間のうち少なくとも一つを対象にタギングされ得る。
【００１９】
ここで、前記抽出されたビュー機能は、生成したノートの付加機能であり得る。
【００２０】
ここで、前記抽出されたビュー機能は、連絡先管理、Ｅメール伝送、カレンダー表示、地図表示、予定、スケジュール管理およびアラームのうち少なくとも一つの機能を遂行するアプリケーションまたはウェブによって支援され得る。
【００２１】
ここで、前記インラインタグによってタギングされた情報は、アプリケーションまたはウェブに同期化し得る。
【００２２】
ここで、前記生成したノートは、他のノートとの関係を表すノート間の関連度で関連され、前記ノート間の関連度は、関連ノート提供サーバーで設定可能な基準によって更新され得る。
【００２３】
ここで、前記ノート間の関連度は、時間の経過、関連照会回数、照会時間、ユーザ指定関連度点数、ユーザが関連ノートをクリックする順序および少なくとも一つのノートに含まれた情報間の類似性のうち少なくとも一つに基づいた学習を通じて更新され得る。
【００２４】
前記目的を達成するための本発明のさらに他の側面による関連ノート提供方法は、ユーザ端末と連動する関連ノート提供サーバーで遂行される方法において、ユーザ端末から生成する少なくとも一つのノートを受信する段階と；少なくとも一つのノートに関連した情報を分析する段階と；分析結果に基づいてユーザ端末にユーザに特化して加工されたサービスを提供する段階を含む。
【００２５】
ここで、前記ノートに関連した情報は、ノートの内容、ノート間の関係、使用履歴についての情報のうち少なくとも一つを含み、前記加工されたサービスは、ノートの選択と配列または関連したアプリケーションの情報を含んで提供され得る。
【発明の効果】
【００２６】
前記のような本発明に係る関連ノート提供方法および装置は、関連度に基づいて複数のノートをより効果的に確認し管理するように、知能的かつスマートなユーザインタフェースを提供することができる。
【００２７】
また、ノート間の関連度は、ユーザの使用パターン、ノートに含まれた情報などのような多様なパラメーターに基づいた動的学習によって更新され得、これに伴い、ユーザ便宜性を増進することができる。
【００２８】
また、本発明の実施例により生成したノートは、インラインタギングを利用して他のアプリケーションまたはウェブと連動したり情報に対する同期化を遂行することができるユーザインタフェースを提供することができ、これを通じてノートを使用するユーザの便宜を向上させ、情報をより効果的に管理することができるようにする。
【図面の簡単な説明】
【００２９】
【図１】本発明の実施例に係る関連ノート提供方法を提供する環境を説明するための概念図。
【図２】本発明の実施例に係るノート間の関連度を説明するための概念図。
【図３】本発明の実施例に係るノート間の関連度を説明するための例示図。
【図４】本発明の実施例に係る関連ノート提供方法を説明するためのフローチャート。
【図５】本発明の実施例により関連ノート提供サーバーが遂行する方法を説明するためのフローチャート。
【図６】本発明の実施例によりユーザ端末が遂行する方法を説明するためのフローチャート。
【図７】本発明の実施例により生成したノートの実行を説明するためのフローチャート。
【図８】本発明の実施例により生成したノートとアプリケーションとの間の連動を説明するための例示図。
【図９】本発明の実施例により生成したノートとアプリケーションとの間の連動を説明するための例示図。
【発明を実施するための形態】
【００３０】
本発明は多様な変更を加えることができ、多様な実施例を有することができるところ、特定の実施例を図面に例示して詳細な説明に詳細に説明する。しかし、これは本発明を特定の実施形態に限定しようとするものではなく、本発明の思想および技術範囲に含まれるすべての変更、均等物乃至代替物を含むものと理解されるべきである。各図面において、類似の参照符号を類似の構成要素について使用した。
【００３１】
第１、第２、Ａ、Ｂなどの用語は、多様な構成要素の説明に用いられ得るが、前記構成要素は前記用語によって限定されてはならない。前記用語は、一つの構成要素を他の構成要素から区別する目的でのみ用いられる。例えば、本発明の権利範囲を逸脱することなく第１構成要素は第２構成要素と命名され得、同様に第２構成要素も第１構成要素と命名され得る。および／またはという用語は、複数の関連した記載された項目の組み合わせまたは複数の関連した記載された項目中のいずれかの項目を含む。
【００３２】
ある構成要素が他の構成要素に「連結されて」いるとか「接続されて」いると言及された時には、その他の構成要素に直接的に連結されているかまたは接続されていてもよいが、中間に他の構成要素が存在することもできると理解されるべきである。その反面、ある構成要素が他の構成要素に「直接連結されて」いるとか「直接接続されて」いると言及された時には、中間に他の構成要素が存在しないと理解されるべきである。
【００３３】
本出願で用いられた用語は、単に特定の実施例を説明するために用いられたものであって、本発明を限定しようとする意図ではない。単数の表現は文脈上明白に異なることを意味しない限り、複数の表現を含む。本出願で、「含む」または「有する」等の用語は、明細書上に記載された特徴、数字、段階、動作、構成要素、部品またはこれらを組み合わせたものが存在することを指定しようとするものであって、一つまたはそれ以上の他の特徴や数字、段階、動作、構成要素、部品またはこれらを組み合わせたものなどの存在または付加の可能性をあらかじめ排除しないものと理解されるべきである。
【００３４】
特に定義されない限り、技術的または科学的な用語を含めてここで用いられるすべての用語は、本発明が属する技術分野で通常の知識を有する者によって一般的に理解されるものと同じ意味を有している。一般的に使われる辞書に定義されているような用語は、関連技術の文脈上有する意味と一致する意味を有すると解釈されるべきであり、本出願で明白に定義しない限り、理想的または過度に形式的な意味と解釈されない。
【００３５】
以下、本発明に係る好ましい実施例を添付された図面を参照して詳細に説明する。
【００３６】
図１は、本発明の実施例に係る関連ノート提供方法を提供する環境を説明するための概念図である。
【００３７】
図１を参照すると、本発明の実施例に係る関連ノート提供方法は、多数のユーザ端末１０と関連ノート提供サーバー２００が相互に連動して遂行され得る。
【００３８】
詳細には、ユーザはユーザ端末１００を利用してノートを作成または生成することができ、ユーザ端末１００により作成または生成したノートは関連ノート提供サーバー２００に伝送される。ここで、ユーザ端末１００は、携帯電話、スマートフォン、ノートパソコン、タブレットＰＣなどを意味し得、本発明において特に限定されるものではない。
【００３９】
また、本発明において、ノートは比較的簡略な情報をデジタル形態で保存するものであって、デジタルノート、メモ、デジタルメモ、ページ、デジタルページなどと同等な概念で使われ得る。
【００４０】
関連ノート提供サーバー２００は、ユーザ端末１００から作成または生成した多数のノートを受信し、これをデータベース３００に保存することができる。また、関連ノート提供サーバー２００は、個別ノートの内容、ノート間の関係、ユーザのノート使用履歴などを分析することができる。
【００４１】
ユーザ端末１００は、関連ノート提供サーバー２００を通じて多数のノートを確認または提供を受けるために、アップストア（Ａｐｐ  Ｓｔｏｒｅ）または関連ノート提供サーバー２００からアプリケーションをダウンロードして設置することができ、設置されたアプリケーションが関連ノート提供サーバー２００と連動して関連ノート提供サービスを提供することができる。
【００４２】
ユーザはユーザ端末１００を通じての情報入力で多数のノートを作成または生成することができ、生成した多数のノート間にはノート間の関連度で関係が設定され得る。ここで、ノート間の関連度は、ノートに含まれる情報またはユーザの使用パターンなどにより学習されて更新され得る。
【００４３】
したがって、ユーザは、日程、場所、予定などのような断片化された情報を保存している多数のノートを、ノート間の関連度に基づいて容易に確認して管理することができる。
【００４４】
ひいては、付加的な機能として、関連ノート提供サーバー２００は特定の企業内の職員らがノートを相互に共有できるようにするものであって、特定の企業によって構築または管理され得るが、これに限定されるものではない。
【００４５】
また、関連ノート提供サーバー２００は多数のユーザ端末１００が保存している電話番号、Ｅメール情報などが相互に同期化し得るサービスを支援することもできる。
【００４６】
ユーザは、ユーザ端末１００を通じて生成したノートと他のユーザ端末１００により生成したノート間の関連度を設定することもできる。
【００４７】
また、ユーザ端末１００は、関連設定されたノートを関連ノート提供サーバー２００で検索することができ、検索範囲は共有が許容されたノートに限定され得る。すなわち、ユーザは、ユーザ端末１００を通じて生成したノートに対する共有の可否を設定することができることは言うまでもない。
【００４８】
図２は本発明の実施例に係るノート間の関連度を説明するための概念図であり、図３は本発明の実施例に係るノート間の関連度を説明するための例示図である。
【００４９】
本発明の実施例に係る関連ノートは、ユーザが登録した複数のノートのうちユーザが直接連結して登録したノートを意味し得る。関連ノート間には期間とユーザのフィードバックに応じて連結強度を調整して、より意味のある情報（ノート）がまず表示されるようにすることができる。
【００５０】
したがって、ユーザは関連ノートで関連した情報を連結することだけで、情報を分類したり容易に探すことができる。
【００５１】
図２および図３によると、本発明の実施例に係るノートは、互いに関連性を有し得、関連性の強度は関連度で表現され得る。したがって、本発明において、ノート間の関連度は、関連性、連結強度、関連度などと同じ意味を有し得、関連ノートは他のノート間に関連性を有して連結されたノートを意味し得る。
【００５２】
本発明の実施例に係るノートは、電子またはデジタルメモのような形態でユーザ端末１００で生成し保存され得る。また、ノートは、日程ノート、予定ノート、メモノートなどのように種類が区分され得る。
【００５３】
ノートの種類による入力情報は、次の表１の通りである。
【００５４】
【表１】
2018523221.tif 000003
【００５５】
本発明の実施例に係るノートは、タグ命令語を活用して検索をより容易にすることができる。
【００５６】
例えば、ノート内容の入力時に、「＠」、「＃」を入力して、ユーザ端末１００に既保存された連絡先、場所と連動された情報を提示し、提示された情報を利用して内容を入力することができる。
【００５７】
より詳細には、「＠」入力時、タイピングされるユーザー名は、住所録から類似する単語を検索して提示し、類似する単語がない場合は新規として登録することができる。
【００５８】
「＃」入力時、入力される場所と類似する単語を検索し、類似する単語がない場合は入力した場所を自動で追加することができる。
【００５９】
本発明の実施例によると、ノート間の関連度（または関連度）に基づいた優先順位でノートを羅列してユーザ端末１００に提供することができる。
【００６０】
また、関連度は、トリーの形態でグラフィック化してユーザ端末１００に提供されてもよい。例えば、関連度はノート間を連結する線で表現されてもよく、関連度の程度は線の太さで表現されてもよい。
【００６１】
一つのノートは複数の他のノートと関連度が設定され得、関連度の設定はユーザ端末１００を通じてユーザが直接入力する方式またはノートに含まれた情報間の類似性に基づいて初期設定され得る。
【００６２】
例えば、関連度は０と１の範囲で設定され得る。関連度が０である場合にはノート間に相互に関連性がない場合であり、関連度が１である場合にはノート間に相互に関連性が最も高い場合を意味し得る。ただし、本発明に係る関連度は多様な数値範囲で設定され得ることは言うまでもない。
【００６３】
図２を参照すると、多数のノートは相互間に関連度によって連結され得る。
【００６４】
例えば、ノート２０は、ノート２１、ノート２２、ノート２４、ノート２５およびノート２７と関連され得、関連度はノート２２＞ノート２１＝ノート２４＞ノート２５＝ノート２７のような順位を有し得る。したがって、ノート２０を基準ノートとすると、ノート２２＞ノート２１＝ノート２４＞ノート２５＝ノート２７のように高い関連度順に関連ノートがユーザ端末１００に表示され得る。
【００６５】
また、ノート２３は、ノート２２、ノート２５、ノート２６およびノート２８と関連することができれば、関連度はノート２２＝ノート２６＞ノート２８＞ノート２５のような順位を有し得る。したがって、ノート２３を基準ノートとすると、ノート２２＝ノート２６＞ノート２８＞ノート２５のように高い関連度順に関連ノートがユーザ端末１００に表示され得る。
【００６６】
したがって、ユーザは関連度で連結された多数のノートをより効果的に確認し管理することができる。
【００６７】
ひいては、付加的な機能として、ユーザ間にノートを共有することができる。図２を再び参照すると、多数のノートが第１ユーザ領域１１、第２ユーザ領域１２および第３ユーザ領域１３に位置し得る。
【００６８】
また、第１ユーザ領域１１、第２ユーザ領域１２および第３ユーザ領域１３のそれぞれは、積集合となる領域を含むことができる。
【００６９】
例えば、ノート２５は三つの領域が重なる領域に位置するため、すべてのユーザが共有できるノートを意味し得る。また、ノート２７は第１ユーザ領域１１と第３ユーザ領域１３が重なる領域にあるため、第１ユーザと第２ユーザのみが共有できるノートを意味し得、ノート２８は第２ユーザ領域１２と第３ユーザ領域１３が重なる領域に位置するため、第２ユーザと第３ユーザだけが共有できるノートを意味し得、ノート２２は第１ユーザ領域１１と第３ユーザ領域１３が重なる領域に位置するため、第１ユーザと第３ユーザのみが共有できるノートを意味し得る。ここで、各ノートに対する共有範囲は、ユーザ端末１００を通じてそれぞれのユーザが設定することができる。
【００７０】
図３による例示を参照すると、ノート０はノート１と連結強度１で設定され、ノート２と連結強度０．９で設定され、ノート３と連結強度０．８で設定され得る。したがって、ノート０は、ノート１、ノート２およびノート３のうちノート１と最も関連性が高いことが分かる。
【００７１】
また、ノート１は、ノート２と連結強度１で設定され得、ノート４と連結強度０．９で設定され、ノート５と連結強度０．９で設定され得る。
【００７２】
また、ノート５およびノート６は他のいかなるノートとも関連度が設定されなくてもよい。
【００７３】
ノート間の関連度は、ユーザ端末１００により初期に設定され得るだけでなく、関連ノート提供サーバー２００によって更新され得る。
【００７４】
関連ノート提供サーバー２００は、ノート間の関連度を設定可能な基準により調節または更新することができる。ここで、設定可能な基準は、時間の経過、関連照会回数、照会時間、ユーザ指定関連度点数、ユーザが関連ノートをクリックする順序および複数のノートに含まれた情報間の類似性などであり得る。
【００７５】
例えば、時間の経過は、関連度を初期設定した後に経過した時間を意味し得る。また、関連照会回数は複数のノートが同時にまたは共に照会された回数を意味し得、照会時間は該当ノートを照会した時点を意味し得、ユーザ指定関連度点数は関連度を初期設定した後にユーザが追加で設定または付与した関連度点数を意味し得る。また、ユーザが関連ノートをクリックする順序は、ユーザがノートをクリックして確認した順序またはパターンについての情報を意味し得る。また、複数のノートに含まれた情報間の類似性は、ノートのコンテンツに対する分析を通じて算出され得、例えば、ノートに含まれたインラインタグを基準とした分析、形態素分析技法などが利用され得る。
【００７６】
より詳細には、時間の経過が大きくなるほど関連度は低くなり得、関連照会回数が多いほど関連度が高くなり得、照会時間が業務時間に該当するほど関連度が高くなり得る。また、ユーザが関連ノートをクリックする順序が近いノート間の関連度が高くなり得、複数のノートに含まれた情報間の類似性が高いほど関連度が高くなり得る。
【００７７】
関連度を算出するために次の数学式１を活用することができる。ただし、本発明は数学式１によってのみ関連度が算出されるものに限定されない。
【００７８】
したがって、本発明は多様なパラメーター、加重値などを適用したアルゴリズム、モデルなどを利用した機械学習に基づいて関連度を適応的または人工知能的に更新することができる。すなわち、本発明に係る関連ノート提供サーバー２００は、知能型に具現され得る。
【００７９】
【数１】
2018523221.tif 000004
図４は、本発明の実施例に係る関連ノート提供方法を説明するためのフローチャートである。
【００８０】
図４を参照すると、ユーザはユーザ端末１００に情報を入力してノートを生成することができる（Ｓ４１０）。ここで、ノートは、日程ノート、予定ノート、メモノートなどのように多様な種類に区分され得る。
【００８１】
ユーザ端末１００は生成したノートを関連ノート提供サーバー２００に伝送することができ（Ｓ４２０）、関連ノート提供サーバー２００はユーザ端末１００から受信したノートを保存することができる。
【００８２】
ユーザ端末１００は、関連ノート提供サーバー２００に保存されたノート間の関連度を設定することができる（Ｓ４３０）。したがって、関連ノート提供サーバー２００はユーザ端末１００から多数のノートを受信して保存し、ノート間の関連性を表す関連度に関する情報として共に保存することができる。
【００８３】
特に、本発明の実施例に係る関連ノート提供サーバー２００は、ノート間の関連度を調節または更新することができる（Ｓ４４０）。例えば、時間の経過、関連照会回数、照会時間、ユーザ指定関連度点数、ユーザが関連ノートをクリックする順序および複数のノートに含まれた情報間の類似性などのように、設定可能な基準により関連度を調節または更新することができる。
【００８４】
ユーザはユーザ端末１００を通じて関連ノート提供サーバー２００に保存されたノートを確認することができる。すなわち、関連ノート提供サーバー２００は、ノート間の関連度に基づいてユーザ端末１００に複数のノートを提供することができる。例えば、複数のノートのうち選択されたノートを基準として、ノート間の関連度が高い順に複数のノートをユーザ端末１００に表示することができる。したがって、ユーザは別途の検索または分類過程がなくても選択されたノートに関連した他のノートを容易に確認し管理することができる。
【００８５】
また、付加的な機能として、ユーザはユーザ端末１００を通じて関連ノート提供サーバー２００に保存されたノートを検索することができる（Ｓ４６０）。例えば、ノートに対する検索は、キーワードまたはタグを活用して遂行され得る。関連ノート提供サーバー２００は、ユーザ端末１００の検索要請に相応するノートおよび関連度についての情報をユーザ端末１００に提供することができる（Ｓ４７０）。ここで、関連度についての情報は、グラフィック化して提供され得、関連度はそれぞれのノートをノード（ｎｏｄｅ）にして連結した線（Ｌｉｎｅ）で表現され得るが、その表現方法において特に限定はない。
【００８６】
ひいては、付加的な機能として、ユーザ端末１００はノートの共有を許容するユーザグループを設定するか同期化することができる（Ｓ４５０）。例えば、ユーザはユーザ端末１００を通じて生成したノートに対する共有の可否および共有対象となる他のユーザを設定することができ、これを通じてノートの共有を許容するユーザグループを設定することができる。すなわち、ノートの共有を許容するユーザグループは、ノートごとに個別的に設定され得る。また、ノートの共有を許容するユーザグループを設定するか同期化する動作は、図４の順序に限定されず、一定の周期またはユーザの便宜による時点に遂行され得る。
【００８７】
図５は、本発明の実施例により関連ノート提供サーバーが遂行する方法を説明するためのフローチャートである。図５を参照して関連ノート提供サーバー２００で遂行される関連ノート提供方法を説明すると、次の通りである。
【００８８】
関連ノート提供サーバー２００は、ユーザ端末１００から生成する少なくとも一つのノートを受信することができ（Ｓ５１０）、受信されたノートはデータベース３００に保存され得る。
【００８９】
関連ノート提供サーバー２００はユーザ端末１００により設定されたノート間の関連度を保存することができる（Ｓ５２０）。例えば、ノート間の関連度は０と１の間で設定され得る。
【００９０】
関連ノート提供サーバー２００は、ノート間の関連度を設定可能な基準により調節することができる（Ｓ５３０）。ここで、設定可能な基準は、時間の経過、関連照会回数、照会時間、ユーザ指定関連度点数、ユーザが関連ノートをクリックする順序および複数のノートに含まれた情報間の類似性のうち少なくとも一つに基づいて決定され得る。
【００９１】
したがって、関連ノート提供サーバー２００は、ノート間の関連度に基づいてユーザ端末１００に複数のノートを提供することができ（Ｓ５５０）、これを通じてユーザはユーザ端末１００を通じて関連ノート提供サーバー２００に保存された関連ノートをより効果的に確認することができる。
【００９２】
また、付加的な機能として、関連ノート提供サーバー２００はユーザ端末１００を通じてのノート検索要請を受信することができる（Ｓ５４０）。例えば、ユーザ端末１００はキーワード、タグなどを利用して特定ノートを検索することができ、関連ノート提供サーバー２００はこれに対する応答として検索結果をユーザ端末１００に提供することができる。
【００９３】
また、付加的な機能として、関連ノート提供サーバー２００は、検索を要請しているユーザ端末１００がノートの共有を許容するユーザグループに属するかの可否を判断することができ（Ｓ５５０）、ノートの共有を許容するユーザグループに属する場合にのみノートを提供することができる。すなわち、関連ノート提供サーバー２００は、ノートの共有を許容するユーザグループに少なくとも一つのノートを関連度についての情報と共に提供することができる（Ｓ５６０）。
【００９４】
図６は、本発明の実施例によりユーザ端末が遂行する方法を説明するためのフローチャートである。図６を参照してユーザ端末１００で遂行される関連ノート提供方法を説明すると、次の通りである。
【００９５】
ユーザ端末１００は情報入力によりノートを生成することができる（Ｓ６１０）。すなわち、ユーザ端末１００はノートを生成できるユーザインタフェースを提供し、生成するノートの種類は、日程ノート、予定ノート、メモノートなどのように区分され得る。
【００９６】
ユーザ端末１００は、生成したノートと他のノート間の関連度を表すノート間の関連度を設定することができる（Ｓ６２０）。ユーザはユーザ端末１００を通じてノート間の関連度を初期設定することができる。ここで、ノート間の関連度は０と１の間で設定され得る。
【００９７】
ユーザ端末１００は設定可能な基準により調節または更新されたノート間の関連度に基づいて複数のノートを共に表示することができる。例えば、関連ノート提供サーバー２００は、ノート間の関連度を時間の経過、関連照会回数、照会時間、ユーザ指定関連度点数、ユーザが関連ノートをクリックする順序および複数のノートに含まれた情報間の類似性などのような設定可能な基準によって更新してユーザ端末１００に提供することができる。
【００９８】
また、付加的な機能として、ユーザ端末１００は関連ノート提供サーバー２００を通じてノートの共有を許容するユーザグループを設定するか同期化することができる（Ｓ６３０）。また、ノートの共有を許容するユーザグループを設定するか同期化する動作は、図６の順序に限定されず、一定の周期またはユーザの便宜による時点に遂行され得る。したがって、ユーザ端末１００は関連ノート提供サーバー２００を通じてノートの共有を許容するユーザグループにノートを共有させることができる（Ｓ６４０）。
【００９９】
図７は本発明の実施例により生成したノートの実行を説明するためのフローチャートであり、図８は本発明の実施例により生成したノートとアプリケーションとの間の連動を説明するための例示図である。
【０１００】
図７を参照すると、本発明の実施例に係るユーザ端末１００は情報入力を通じてインラインタグを含むノートを生成することができる（Ｓ７１０）。
【０１０１】
より詳細には、ノートは、題名および内容についての情報入力を通じて生成することができる。特に、本発明の実施例に係るノートは、題名および内容にインラインタギングを遂行することができる。ここで、インラインタグが適用される対象は、名前、電話番号、Ｅメール、日付および場所などであり得る。
【０１０２】
インラインタグは、インラインタグの対象となるテキストの前に特殊文字をスペース（ｓｐａｃｅ）なしに入力して適用することができる。
【０１０３】
例えば、インラインタグのテキスト表示は、「名前＝＠」、「電話番号＝＆」、「Ｅメール＝％」、「日付＝＊」および「場所＝＃」などのように設定され得るが、これに限定されるものではない。
【０１０４】
また、数字の組み合わせが、ｘｘｘ−ｘｘｘｘ−ｘｘｘｘまたはｘｘｘ．ｘｘｘｘ．ｘｘｘｘなどとなる場合、電話番号に自動タギングされ、ＹＹＹＹ年Ｍ月Ｄ日、Ｍ月Ｄ日などの入力は、日付に自動タギングされてもよい。
【０１０５】
インラインタグに相応する多様なビュー機能を抽出することができる（Ｓ７２０）。ここで、抽出されたビュー機能は、ノートの付加機能であるか、連絡先管理、Ｅメール伝送、カレンダー表示、地図表示、予定、スケジュール管理、アラームなどの機能を遂行するアプリケーションまたはウェブによって支援され得る。
【０１０６】
抽出されたビュー機能をノートと連動させることができる（Ｓ７３０）。例えば、次の通りである。
【０１０７】
図８の（ａ）は、場所にタギングされたインラインタグを実行させた場合に、地図表示機能を有するアプリケーション（アプリ）が連動して実行される場合を例示し、図８の（ｂ）は、日付にタギングされたインラインタグを実行させた場合に、カレンダー表示機能を有するアプリケーションが連動して実行される場合を例示する。
【０１０８】
ひいては、本発明の実施例によると、名前または電話番号を対象とするインラインタグが実行されると、連絡先管理機能を有するアプリケーションまたはウェブが実行され得る。また、日付を対象とするインラインタグが実行されると、スケジュール管理またはカレンダー表示機能を有するアプリケーションまたはウェブが実行され、場所を対象とするインラインタグが実行されると、地図表示機能を有するアプリケーションまたはウェブが実行され、時間を対象とするインラインタグが実行されると、アラーム機能を有するアプリケーションまたはウェブが実行され得る。
【０１０９】
それだけでなく、ノートに含まれたインラインタグに相応する情報は、検索されたアプリケーションまたはウェブに同期化して自動保存されてもよい。
【０１１０】
また、インラインタグに限定されず、インラインタグと技術的に相応する技術を含むことができる。
【０１１１】
さらに、本発明の実施例に係る関連ノート提供方法は、ノートに関連した情報を分析し、分析結果に基づいてユーザ端末１００にユーザに特化して加工されたサービスを提供することができる。
【０１１２】
また、ノートに関連した情報は、ノートの内容、ノート間の関係、使用履歴についての情報などを含み、ユーザに特化して加工されたサービスは、ノートの選択と配列または関連したアプリケーションの情報を含んで提供することができる。
【０１１３】
例えば、ノートに含まれたコンテンツの属性（例えば、テキスト、イメージ、動映像など）に対する分析、ノートに含まれたコンテンツの属性によるノート間の関係の分析、ノートに対する使用パターンについての分析等を通じて分析結果を算出することができる。
【０１１４】
したがって、このような分析結果に相応して、関連度によるノートの提供、ビュー機能およびアプリケーションなどに連動／同期化のように、ユーザに特化して加工されたサービスを提供することができる。
【０１１５】
前述した本発明の実施例に係る関連ノート提供方法および装置は、関連度に基づいて複数のノートをより効果的に確認し管理できるユーザインタフェースを提供することができる。
【０１１６】
また、本発明の実施例によると、ノート間の関連度は、ユーザの使用パターン、ノートに含まれた情報などのような多様なパラメーターに基づいた動的学習によって更新され得、これに伴い、ユーザ便宜性を増進することができる。
【０１１７】
また、本発明の実施例により生成したノートは、インラインタギングを利用して他のアプリケーションまたはウェブと連動したり情報に対する同期化を遂行することができるユーザインタフェースを提供することができ、これを通じてノートを使用するユーザの便宜を向上させ、情報をより効果的に管理することができるようにする。
【０１１８】
本発明の実施例に係る関連ノート提供方法の動作は、コンピュータ読み取り可能記録媒体にコンピュータ読み取り可能プログラムまたはコードとして具現することが可能である。コンピュータ読み取り可能記録媒体は、コンピュータシステムによって読み取り可能なデータが保存されるすべての種類の記録装置を含む。また、コンピュータ読み取り可能記録媒体は、ネットワークに連結されたコンピュータシステムに分散されて、分散方式でコンピュータで読み取り可能なプログラムまたはコードが保存され実行され得る。
【０１１９】
また、コンピュータ読み取り可能記録媒体は、ロム（ｒｏｍ）、ラム（ｒａｍ）、フラッシュメモリ（ｆｌａｓｈ  ｍｅｍｏｒｙ）等のように、プログラム命令を保存し遂行するように特別に構成されたハードウェア装置を含むことができる。プログラム命令は、コンパイラ（ｃｏｍｐｉｌｅｒ）によって作成されるような機械語コードだけでなく、インタープリタ（ｉｎｔｅｒｐｒｅｔｅｒ）等を使用してコンピュータによって実行され得る高級言語コードを含むことができる。
【０１２０】
以上本発明の好ましい実施例を参照して説明したが、該当技術分野の熟練した当業者は下記の特許請求の範囲に記載された本発明の思想および領域から逸脱しない範囲内で、本発明を多様に修正および変更させることができることが理解できるはずである。
【符号の説明】
【０１２１】
１００：ユーザ端末
２００：関連ノート提供サーバー
３００：データベース
【図１】
2018523221.tif 000005
【図２】
2018523221.tif 000006
【図３】
2018523221.tif 000007
【図４】
2018523221.tif 000008
【図５】
2018523221.tif 000009
【図６】
2018523221.tif 000010
【図７】
2018523221.tif 000011
【図８】
2018523221.tif 000012
【図９】
2018523221.tif 000013
【国際調査報告】
2018523221.tif 000014
2018523221.tif 000015
2018523221.tif 000016
2018523221.tif 000017